(57)【要約】【課題】１台でフードを用いる場合とキャップを用いる場合との使い分けができる毛髪加湿器を提供することを課題とする。【解決手段】蒸気を噴出させるための蒸気噴出口３１，４１を少なくとも２箇所に備えるものであり、これらの蒸気噴出口３１，４１は、フード２の内部に設けられて、フード２の内部に蒸気を供給するためのフード用噴出口３１と、被施術者Ｐが被ったキャップ５１へと蒸気を供給可能な、ホース等の蒸気連絡部材５２に対する接続部を備えた外部用噴出口４１との少なくとも２種類からなり、上記それぞれの種類の蒸気噴出口３１，４１を、使用目的に応じて切り換えて使用するための切換手段１３ａを備える。これにより、１台の毛髪加湿器でフード２を用いる場合とキャップ５１とを使い分けでき、省スペースな毛髪加湿器を提供することができる。【選択図】          図１
2004283400.tif 000002
【特許請求の範囲】
【請求項１】
被施術者（Ｐ）の頭部を覆うようにフード（２）を配位し、このフード（２）の内部に蒸気を供給することにより毛髪処理を促進する毛髪加湿器（１０）において、
蒸気を噴出させるための蒸気噴出口（３１，４１）を少なくとも２箇所に備えるものであり、
これらの蒸気噴出口（３１，４１）は、フード（２）の内部に設けられて、フード（２）の内部に蒸気を供給するためのフード用噴出口（３１）と、
被施術者（Ｐ）が被ったキャップ（５１）へと蒸気を供給可能な、ホース等の蒸気連絡部材（５２）に対する接続部を備えた外部用噴出口（４１）との少なくとも２種類からなり、
上記それぞれの種類の蒸気噴出口（３１，４１）を、使用目的に応じて切り換えて使用するための切換手段（１３ａ）を備えたことを特徴とする毛髪加湿器。
【請求項２】
上記それぞれの種類の蒸気噴出口（３１，４１）に対して、蒸気を供給する、共通の蒸気発生器（１１）を備え、
蒸気発生器（１１）から各蒸気噴出口（３１，４１）へ至るまでの蒸気通路（１２）を形成したものであり、
この蒸気通路（１２）は、１つの蒸気発生器（１１）につき１系統が形成されるものであって、この蒸気通路（１２）が途中の分岐部（１３）にて、各蒸気噴出口（３１，４１）へ至るように分岐したものであり、
上記の分岐部（１３）には、切換手段として、分岐した先の蒸気通路（１２ｂ，１２ｃ）のうちのいずれか一方を選択して閉鎖可能な切換弁（１３ａ）を備えることを特徴とする、請求項１に記載の毛髪加湿器。
【請求項３】
蒸気通路（１２）に蒸気を供給するためのものであり、蒸気発生器（１１）とは独立して作動可能な送風機（１４）を備えたことを特徴とする、請求項２に記載の毛髪加湿器。
【発明の詳細な説明】
【０００１】
【発明の属する技術分野】
本願発明は、理美容室において、パーマや毛染めやトリートメント等の毛髪処理を行う際に、被施術者の頭部に蒸気を当てて毛髪処理を促進するために用いる毛髪加湿器に関するものである。
【０００２】
【従来の技術】
【特許文献１】
特開平１０−３２３２１３号公報
【０００３】
従来から、被施術者の頭部に蒸気を当てて毛髪処理を促進するために、図３に示すような、半球状のフード１０１を備えた毛髪加湿器１００が用いられている。これは、本体部１０２の内部に配位された蒸気発生器により発生した蒸気をフード１０１の内部に導いて、フード１０１に配位した被施術者の頭部に供給するものである。
また、本願出願人による特開平１０−３２３２１３号公報（特許文献１）に記載の毛髪加湿器２００があげられる。これは、図４に示すようなものであり、蒸気発生釜２０１で発生させた蒸気を、導通管２０２を経由させてキャップ２０３内に導き、キャップ２０３を被った被施術者の頭部に蒸気を当てることができるようになっている。
【０００４】
【発明が解決しようとする課題】
これらの毛髪加湿器１００，２００において、前者のフード１０１を用いる毛髪加湿器１００については、気軽に使用できるために、トリートメントや毛染めなど、毛髪にロットを巻かない施術に対しては用いやすい反面、加温パーマ施術時など、毛髪にロットを巻き付ける施術においては、フード１０１の大きさにさほど余裕がないために、被施術者の頭部を完全に覆うことができない場合があったり、圧迫感や窮屈な思いをさせることにより、被施術者に不快感を与えてしまうことがあった。特に、施術内容によっては、大きなロットを使用することもあり、この場合にはフード１０１に頭部を入れること自体が不可能であって、この毛髪加湿器１００による施術を行なうことができなかった。また、このフード１０１を有する毛髪加湿器１００は、比較的場所をとるものであり、狭い理美容室においては邪魔になるものであった。
【０００５】
上記のように、毛髪にロットを巻き付けた場合で、フード１０１を用いた毛髪加湿器１００を使用することが難しい場合においては、図４に示す毛髪加湿器２００を用いて、キャップ２０３を被施術者の頭部に被せることによって施術を行なっていた。この施術によれば、キャップ２０３の内部に均等に蒸気を供給することができ、効果的に毛髪処理の促進をすることができる。しかし、この場合は、キャップ２０３を被施術者の頭部に被せる作業は手間のかかるものであった。
【０００６】
このように、従来、施術の際において、上記２種の毛髪加湿器１００，２００を適宜使い分けていたが、このように２種の毛髪加湿器１００，２００を両方保有することは、保管場所をとる等の問題があった。
【０００７】
上記の問題点に鑑み、本願発明は、１台でフードを用いる場合とキャップを用いる場合との使い分けができる毛髪加湿器を提供することを課題とする。
【０００８】
【課題を解決するための手段】
上記課題を解決するために、本願の請求項１に係る発明は、被施術者Ｐの頭部を覆うようにフード２を配位し、このフード２の内部に蒸気を供給することにより毛髪処理を促進する毛髪加湿器１０において、蒸気を噴出させるための蒸気噴出口３１，４１を少なくとも２箇所に備えるものであり、これらの蒸気噴出口３１，４１は、フード２の内部に設けられて、フード２の内部に蒸気を供給するためのフード用噴出口３１と、被施術者Ｐが被ったキャップ５１へと蒸気を供給可能な、ホース等の蒸気連絡部材５２に対する接続部を備えた外部用噴出口４１との少なくとも２種類からなり、上記それぞれの種類の蒸気噴出口３１，４１を、使用目的に応じて切り換えて使用するための切換手段１３ａを備えたことを特徴とする毛髪加湿器を提供する。
【０００９】
又、本願の請求項２に係る発明は、請求項１に係る発明において、上記それぞれの種類の蒸気噴出口３１，４１に対して、蒸気を供給する、共通の蒸気発生器１１を備え、蒸気発生器１１から各蒸気噴出口３１，４１へ至るまでの蒸気通路１２を形成したものであり、この蒸気通路１２は、１つの蒸気発生器１１につき１系統が形成されるものであって、この蒸気通路１２が途中の分岐部１３にて、各蒸気噴出口３１，４１へ至るように分岐したものであり、上記の分岐部１３には、切換手段として、分岐した先の蒸気通路１２ｂ，１２ｃのうちのいずれか一方を選択して閉鎖可能な切換弁１３ａを備えることを特徴とする毛髪加湿器を提供する。
【００１０】
又、本願の請求項３に係る発明は、請求項２に係る発明において、蒸気通路１２に蒸気を供給するためのものであり、蒸気発生器１１とは独立して作動可能な送風機１４を備えたことを特徴とする毛髪加湿器を提供する。
【００１１】
上記の各発明にあっては、フード２の内部に蒸気を供給するためのフード用噴出口３１と、被施術者Ｐが被ったキャップ５１へと蒸気を供給可能な、ホース等の蒸気連絡部材５２に対する接続部を備えた外部用噴出口４１との少なくとも２種類の蒸気噴出口３１，４１を、使用目的に応じて切換手段１３ａで切り換えて使用することにより、１台の毛髪加湿器でフード２とキャップ５１とを使い分けでき、省スペースな毛髪加湿器を提供することができる。
【００１２】
特に、請求項２に係る発明にあっては、蒸気通路１２が、１つの蒸気発生器１１につき１系統が形成されるものであることにより、蒸気用の通路と冷風用の通路を兼用でき、製造コストの面で優れるものであり、また、蒸気が逆流することもない。そして、蒸気通路１２ｂ，１２ｃのうちのいずれか一方を選択して閉鎖可能な切換弁１３ａを備えることにより、毛髪加湿器１０の使用目的に応じて、容易に蒸気通路１２ｂ，１２ｃの切り換えが可能である。
【００１３】
そして、請求項３に係る発明にあっては、蒸気発生器１１とは独立して作動可能な送風機１４を備えることにより、送風機１４を蒸気発生器１１と連動させた際には、蒸気通路１２に対して蒸気を送ることができ、蒸気発生器１１を停止させ、送風機１４のみを作動させた際には、蒸気通路１２に冷風を送ることができるため、蒸気通路１２に送る気体を容易に切り換えることができる。
【００１４】
【発明の実施の形態】
以下、図面に基づき、本願発明の実施の一例を取り上げて説明する。図１，図２は本例の毛髪加湿器の構造及び使用の状態を示す説明図である。
【００１５】
本例の毛髪加湿器１０は本体部１とフード２とを備えるものである。本体部１は、全体が図３に示したような形態である床置きのスタンド６により支持されており、被施術者Ｐの頭部の位置に合わせて、フード２を適当な高さに調節することができる。なお、本願発明の毛髪加湿器１０は床置きのスタンド６による支持に限られるものではなく、天井や壁面に取り付けたアームにより支持するものとしても良い。
【００１６】
フード２は被施術者Ｐの頭部を上方から覆う部分であって、本体部１に水平方向に配位した回動軸７を介し、本体部１に対して回動可能に支持されており、これにより、フード２を使用して、後述するフード用噴出口３１からフード２の内部に蒸気を供給して使用する際には、図１に示すように前方に倒して使用することができ、フード２を使用せずに、外部用噴出口４１からキャップ４に蒸気を供給して使用する際には、図２に示すように上方に跳ね上げることができる。
【００１７】
フード２は、枠部２１と蓋部２２とからなる。枠部２１は、被施術者Ｐの頭部に被せた際において、頭部の前後左右に配位される部分である。枠部２１の後端部分は、回動軸７に接続されており、本体部１に対して所定範囲内において回動可能に支持されている。
本例のフード２における枠部２１は、被施術者Ｐの頭部の寸法に比べて、前後方向に大きく形成されたものであり、フード２の全体形状は、従来の毛髪加湿器に比べて扁平なものとなっている。そのため、図３に示すような、従来のフードに比べると、被施術者Ｐの毛髪にロットを巻き付けた場合であっても、被施術者Ｐの頭部をフードの内部に比較的容易に配位させることが可能である。
そして、枠部２１の後端部分には、本体部１に配位された蒸気発生器１１で発生した蒸気をフード２の内部に噴出させるためのフード側ノズル３が設けられている。
【００１８】
また、蓋部２２は、枠部２１の上方を覆うようにして設けられるものであり、枠部２１の上方に突出するように、湾曲して形成されたものである。本例においては、蓋部２２は枠部２１の後端部に回動可能に支持されており、フード２を被施術者Ｐの頭部に被せた状態にあっても、枠部２１をそのままの状態にして蓋部２２のみを上方に跳ね上げ、被施術者Ｐの頭部を露出させて、施術者が調整を行なうことが可能となっている。
【００１９】
本例の毛髪加湿器１０においては、本体部１の蒸気発生器１１で発生させた蒸気を噴出させるための噴出口が２箇所に設けられている。そのうちの一方側は、フード側ノズル３に設けられたフード用噴出口３１であり、フード２の内部に蒸気を供給するものである。
【００２０】
フード側ノズル３は、本例においては略円筒形状のものであり、後述する蒸気通路１２から分岐したフード用蒸気通路１２ｂの先端に設けられている。このフード側ノズル３にフード用噴出口３１が形成されている。
フード用噴出口３１は、詳細は図示しないが、フード側ノズル３の側面に形成された側方用噴出口と、端面に形成された端面側噴出口とからなっており、このうち、端面側噴出口は、フード用蒸気通路１２ｂを通る気流の圧力によって開閉可能な構造になっている。この構造により、フード側ノズル３に蒸気を供給する際には、比較的弱い圧力で供給することにより、側方用噴出口からのみ蒸気を噴出させ、被施術者Ｐの頭部に直接噴出した蒸気が当たることにより、被施術者Ｐに不快感を与えることがない。
一方、毛髪の冷却処理を行なう場合など、送風のみを行なう際には、蒸気の場合よりも強い圧力で冷風を供給し、端面側噴出口からも冷風を噴出させる。これにより、被施術者Ｐの頭部に冷風を直接当てることができ、効果的な冷却処理を行なうことができる。
【００２１】
蒸気噴出口の他方側は、外部接続部４に設けられた外部用噴出口４１であり、外部に蒸気を取り出すものである。
外部接続部４は本体部１に設けられており、後述する蒸気通路１２から分岐した外部用蒸気通路１２ｃの先端に設けられている。そして、蒸気連結部材であるホース５２を連結するための接続機構として、図示はしないが、例えば凸条や凹条が設けられており、ホース５２の端部をワンタッチで取り付けることが可能となっている。
【００２２】
この外部用噴出口４１は、図２に示すように、フード２を上方に跳ね上げて使用する。外部用噴出口４１から噴出する蒸気は、外部接続部４に取り付けたホース５２を通り、被施術者Ｐの頭部に被せたキャップ５１の内部に供給される。キャップ５１は、軟質樹脂シートなどからなる柔軟なもので形成されており、毛髪にロットを巻いた状態であっても、被施術者Ｐの頭部に確実に被せることができ、毛髪に対して充分に蒸気を当てることができる。
【００２３】
本体部１には蒸気発生器１１が設けられている。本例においては、一つの蒸気発生器１１でフード側噴出口３１と外部用噴出口４１の両方に蒸気を供給可能な、共通のものとしている。
本例における蒸気発生器１１は、給水タンク１１ａと蒸気発生釜１１ｂとを有するものである。蒸気発生釜１１ｂには超音波振動子１１ｃが設けられており、この超音波振動子１１ｃが振動することによって、給水タンク１１ａから供給される水分を蒸発させて蒸気とすることができる。そして、図示はしていないが、蒸気発生器１１に設けられたヒータなどによって、毛髪処理の内容に最も適した温度の蒸気とすることができる。
【００２４】
蒸気通路１２は、上記の蒸気発生器１１で発生させた蒸気を各蒸気噴出口３１，４１まで導くためのものである。この蒸気通路１２は、１つの蒸気発生器１１につき１系統の蒸気通路１２が対応するように形成されている。そして、蒸気通路１２の途中の分岐部１３において各蒸気噴出口３１，４１へ至るように分岐するものであって、蒸気発生器１１から分岐部１３までのメイン蒸気通路１２ａと、分岐部１３からフード用噴出口４１へ至るフード用蒸気通路１２ｂと、分岐部１３から外部用噴出口５１へ至る外部用蒸気通路１２ｃとからなるものである。
【００２５】
分岐部１３には、メイン蒸気通路１２ａを通る蒸気を、フード用蒸気通路１２ｂか外部用蒸気通路１２ｃかのいずれかに選択して通すための切換手段としての切換弁１３ａが設けられている。本例においては、分岐部１３の内部において、回動可能に支持された板状の弁体が、分岐部１３におけるフード用蒸気通路１２ｂあるいは外部用蒸気通路１２ｃの端部の断面を閉鎖できるようになっている。
このように切換弁１３ａを設けることにより、蒸気をフード用噴出口４１か外部用噴出口５１かのいずれかより噴出させるように切り換えが可能となっており、毛髪加湿器１０の使用目的に応じて、容易に切り換えができる。
【００２６】
また、本体部１には、蒸気発生器１１で発生させた蒸気を蒸気通路１２に供給するための送風機１４が設けられている。この送風機１４は、蒸気発生器１１とは独立して作動可能なものであり、蒸気発生器１１と連動させた際には、蒸気通路１２に対して蒸気を送ることができ、蒸気発生器１１を停止させ、送風機１４のみを作動させた際には、蒸気通路１２に冷風を送ることができる。よって、本願発明における蒸気通路１２は、蒸気と冷風の２種の気体を流すことができる。
【００２７】
なお、本例においては、フード用噴出口３１のうち、上記に説明した端面側噴出口の開閉の関係により、蒸気通路１２に蒸気を送る際には、送風機１４を比較的低速で回転させて、蒸気を比較的低い圧力で蒸気通路１２に送り込む。また、空気のみを送る場合は、送風機１４を比較的高速で回転させ、空気を比較的高い圧力で蒸気通路１２に送り込む。
なお、この送風機１４によって発生する気流は、本体部１の内部において、操作パネル１５の基板や、蒸気発生器１１の超音波振動子１１ｃなどの内部機器を冷却するためにも用いられる。
【００２８】
ここで、従来のフードを備えた毛髪加湿器においては、蒸気専用通路と冷風専用通路を、例えば二重管構造などによって分離して設けたものがあった。しかし、このように別々の通路を設けることは、製造コストの面で問題があった。
また、例えば蒸気専用通路のみを使用する際において、一旦フード内に出た蒸気の一部が、冷風専用通路に逆流してしまい、毛髪処理の効率が低下したり、逆流した蒸気が内部の機器を腐蝕させたりする可能性があるため、各通路に、逆流を防止する弁を取り付ける必要があった。
これに対して、本願発明における蒸気通路１２は、蒸気用の通路と冷風用の通路を兼用するものであって、一重の管で良いため、製造コストの面で優れるものであり、また、蒸気噴出口４１からフード内に出た蒸気は、逆流することなく毛髪に作用させることができるために、毛髪処理の効率を高めることができる。また、蒸気の逆流により内部の機器を腐蝕させることもない。
【００２９】
上記の他に、本体部１には操作パネル１５が設けられており、電源、温度設定、運転モードなどの操作スイッチや、運転状況の表示ランプや、インジケータ類などが配置されている。また、操作を自動的に行なうためのタイマーが設けられており、あらかじめ設定した時間蒸気を毛髪に当て、その後冷風を当てるということもできるようになされている。
【００３０】
【発明の効果】
本願発明にあっては、フードの内部に蒸気を供給するためのフード用噴出口と、被施術者が被ったキャップへと蒸気を供給可能な、ホース等の蒸気連絡部材に対する接続部を備えた外部用噴出口との少なくとも２種類の蒸気噴出口を、使用目的に応じて切換手段で切り換えて使用することにより、１台の毛髪加湿器でフードとキャップとを使い分けでき、省スペースな毛髪加湿器を提供することができる。
【００３１】
特に、請求項２に係る発明にあっては、蒸気通路が、１つの蒸気発生器につき１系統が形成されるものであることにより、蒸気用の通路と冷風用の通路を兼用でき、製造コストの面で優れるものであり、また、蒸気が逆流することもない。そして、蒸気通路のうちのいずれか一方を選択して閉鎖可能な切換弁を備えることにより、毛髪加湿器の使用目的に応じて、容易に蒸気通路の切り換えが可能である。
【００３２】
そして、請求項３に係る発明にあっては、蒸気発生器とは独立して作動可能な送風機を備えることにより、送風機を蒸気発生器と連動させた際には、蒸気通路に対して蒸気を送ることができ、蒸気発生器を停止させ、送風機のみを作動させた際には、蒸気通路に冷風を送ることができるため、蒸気通路に送る気体を容易に切り換えることができる。
【図面の簡単な説明】
【図１】本願発明の実施の一例に係る毛髪加湿器において、フードに蒸気を供給して使用する状態を示す説明図である。
【図２】本例の毛髪加湿器において、キャップに蒸気を供給して使用する状態を示す説明図である。
【図３】従来の毛髪加湿器を示す説明図である。
【図４】従来の毛髪加湿器を示す説明図である。
【符号の説明】
１０      毛髪加湿器
１１      蒸気発生器
１２      蒸気通路
１２ｂ    フード用蒸気通路
１２ｃ    外部用蒸気通路
１３      分岐部
１３ａ    切換手段、切換弁
２        フード
３１      蒸気噴出口、フード用噴出口
４１      蒸気噴出口、外部用噴出口
５１      キャップ
５２      蒸気連絡部材、ホース
Ｐ        被施術者
【図１】
2004283400.tif 000003
【図２】
2004283400.tif 000004
【図３】
2004283400.tif 000005
【図４】
2004283400.tif 000006